(57)【特許請求の範囲】
【請求項１】
受信信号の信号レベルに基づいて送信信号の信号レベルを制御する通信端末において、
前記受信信号から所定周波数を含む周波数帯域の信号成分を抽出する複数段のフィルタ手段、
前記複数段のフィルタ手段の各々の段の出力レベルを比較する比較手段、
前記比較手段の比較結果に基づいて前記複数段のフィルタ手段の少なくとも一部を有効化する有効化手段、および
前記有効化手段によって有効化されたフィルタ手段の出力レベルに基づいて前記送信信号の信号レベルを制御する制御手段を備えることを特徴とする、通信端末。
【請求項２】
前記複数段のフィルタ手段の各々が抽出する周波数帯域は互いに一致する、請求項１記載の通信端末。
【請求項３】
前記有効化手段は、前記出力レベルがすべて一致を示すとき、１段の前記フィルタ手段を有効化する、請求項１または２記載の通信端末。
【請求項４】
前記有効化手段は、前記出力レベルがすべて不一致を示すとき、すべての段数の前記フィルタ手段を有効化する、請求項１ないし３のいずれかに記載の通信端末。
【請求項５】
前記有効化手段は、前記出力レベルが一部一致を示すとき、一部一致を示す段数のうち最小の段数の前記フィルタ手段を有効化する、請求項１ないし４のいずれかに記載の通信端末。
【発明の詳細な説明】
【０００１】
【産業上の利用分野】
この発明は通信端末に関し、特にたとえば受信信号の信号レベルに応じて送信信号の信号レベルを制御する、通信端末に関する。
【０００２】
【従来の技術】
従来のこの種の通信端末では、通信（送受信）待ち受け時に無線基地局と通信し、無線基地局から受信した信号（受信信号）の信号レベルを検出する。受信信号の信号レベルが第１所定値よりも小さい場合には、無線基地局からの電波が弱いと判断し、通信端末からの送信信号の信号レベルを大きくし、逆に、受信信号の信号レベルが第２所定値よりも大きい場合には、無線基地局からの電波が強いと判断し、通信端末からの送信信号の信号レベルを小さくしていた。
【０００３】
【発明が解決しようとする課題】
しかし、この従来技術では、受信信号の信号レベルが第２所定値よりも大きい場合には、通信端末の送信信号の信号レベルを小さくするため、受信信号の周波数帯域近傍に他の信号（妨害信号）が存在する場合には、その妨害信号が受信信号に混入してしまい、誤って受信信号の信号レベルが大きくなったと判断してしまう。このため、実際には、受信信号の信号レベルが小さい或いは適度なレベルであっても、通信端末は送信信号の信号レベルを小さくしてしまうため、無線基地局では、通信が困難であると判断し、通信端末との通信を切断する。このため、着呼不能、通信劣化或いは通信断などの不具合が発生してしまうという問題があった。
【０００４】
それゆえに、この発明の主たる目的は、受信信号を正確に抽出し、正常に通信することができる、通信端末を提供することである。
【０００５】
【課題を解決するための手段】
この発明は、受信信号の信号レベルに基づいて送信信号の信号レベルを制御する通信端末において、受信信号から所定周波数を含む周波数帯域の信号成分を抽出する複数段のフィルタ手段、複数段のフィルタ手段の各々の段の出力レベルを比較する比較手段、比較手段の比較結果に基づいて複数段のフィルタ手段の少なくとも一部を有効化する有効化手段、および有効化手段によって有効化されたフィルタ手段の出力レベルに基づいて送信信号の信号レベルを制御する制御手段を備えることを特徴とする、通信端末である。
【０００６】
【作用】
通信端末は、通信待機状態において、制御チャネルを用いて無線基地局と通信し、無線基地局から受信した信号（受信信号）の信号レベル（受信レベル）を検出する。受信レベルが第１所定値よりも小さい場合には、電波が弱いと判断し、ＲＦ−ＡＭＰ等の増幅率を大きくして、送信信号の信号レベル（送信レベル）を大きくする。一方、受信レベルが第２所定値よりも大きい場合には、電波が強いと判断し、ＲＦ−ＡＭＰ等の増幅率を小さくして、送信レベルを小さくする。このようにして、送信レベルが制御される。このような通信端末では、複数段のフィルタ手段が設けられ、複数段のフィルタ手段の有効段数を適宜決定することにより、受信信号から所定周波数を含む周波数帯域の信号成分が抽出される。たとえば、検出手段が複数のフィルタ手段の各々の段から出力される複数の受信信号の信号レベル（出力レベル）を検出し、複数の出力レベルが比較手段によって比較される。有効化手段は、比較手段の比較結果に基づいてフィルタ手段の少なくとも一部を有効化する。そして、制御手段は、有効化されたフィルタ手段の出力レベルに基づいて、上述したように、送信信号の信号レベルを制御する。つまり、受信信号を正確に抽出して、これに基づいて受信信号および送信信号の信号レベル（受信／送信レベル）を正確に制御することができる。
【０００７】
たとえば、複数段のフィルタ手段のそれぞれは、互いに同じ周波数帯域の信号成分を抽出するので、段数を増やすにつれてアッテネーションが高くなり、受信信号の周波数帯域近傍に存在する他の信号（妨害信号）を確実に排除することができる。
【０００８】
有効化手段は、具体的には、複数のフィルタ手段の各々の段の出力レベルがすべて一致を示す場合には、１段のフィルタ手段を有効化する。
【０００９】
また、複数のフィルタ手段の各々の段の出力レベルがすべて不一致を示す場合には、有効化手段はすべての段数のフィルタ手段を有効化する。つまり、すべてのフィルタ手段が有効化される。
【００１０】
さらに、複数のフィルタ手段の各々の段の出力レベルが一部一致を示す場合には、有効化手段は一致を示すフィルタ手段の段数のうち最小の段数のフィルタ手段を有効化する。つまり、可能な限りフィルタ手段を減らすことにより、受信信号自体のレベルが低下するのを可及的抑えるようにしている。
【００１１】
このように、適宜有効段数を決定することができる。
【００１２】
【発明の効果】
この発明によれば、受信信号を正確に抽出して、受信／送信レベルを適切に制御することができるので、通信不能や通信断などの不具合を回避して、正常に通信することができる。
【００１３】
この発明の上述の目的，その他の目的，特徴および利点は、図面を参照して行う以下の実施例の詳細な説明から一層明らかとなろう。
【００１４】
【実施例】
図１を参照して、この実施例の通信端末１０はＣＤＭＡ／ＡＭＰＳ方式を採用する携帯電話機であり、ＲＦ回路１２を含む。ＲＦ回路１２にはアンテナ１４が接続され、アンテナ１４を介して図示しない無線通信基地局との間でデータ通信を行なうことができる。また、ＲＦ回路１２には、ＡＳＩＣ−ＣＰＵ（以下、単に「ＣＰＵ」という。）１６が接続され、ＣＰＵ１６にはキースイッチ１８、ＬＣＤ２０、音声コーデック２２、メロディＩＣ２４、フラッシュメモリ２６およびＲＡＭ２８が接続される。
【００１５】
なお、ＣＰＵ１６としては、クアルコムＣＤＭＡテクノロジー社製のＣＤＭＡモデムチップ（商品名「ＭＳＭ３１００」）を用いることができる。
【００１６】
キースイッチ１８は、図示は省略するが、少なくともテンキー（“＊”キー、“♯”キーを含む。）、通話キー、切断キーおよびカーソルキーを含み、ユーザによって操作されたキーに対応するキー信号がＣＰＵ１６に入力される。
【００１７】
ＬＣＤ２０は、モノクロ或いはカラーの液晶表示装置であり、ユーザのキー操作に応じて、そのキー入力情報を表示したり、待ち受け画面や通信端末１０を用いてダウンロードした画像等のコンテンツを表示したりする。
【００１８】
音声コーデック２２は、ＲＦ回路１２およびＣＰＵ１６を介して受信（入力）されたディジタル音声データをアナログ音声信号に変換して通話用スピーカ３０から出力する。また、マイク３２から入力されるアナログ音声信号をディジタル音声データに変換して、ＣＰＵ１６およびＲＦ回路１２を介してアンテナ１４から無線基地局に送信する。
【００１９】
メロディＩＣ２４は、音楽再生用スピーカ３４を駆動し、主として、着信音或いは着信メロディを再生する。また、アプリケーションソフトの実行時における音楽・音声の再生或いはコンテンツの表示・実行時における音楽・音声を再生する。
【００２０】
フラッシュメモリ２６は、不揮発性のメモリであり、通信端末１０のソースプログラムおよび通信系（ＲＦ回路１２）について工場出荷前に調整されたＮＶ値（Ｎｏｎ−Ｖｏｌａｔｉｌｅ−Ｉｔｅｍ  Ｖａｌｕｅ）  すなわちＲＦパラメータの調整値などが記憶される。
【００２１】
なお、フラッシュメモリ２６には、ユーザが登録した電話番号および電子メールアドレス等のアドレス帳、ユーザが設定した機能およびダウンロードした画像や音楽のようなコンテンツなども記憶される。
【００２２】
ＲＡＭ２８は、ＣＰＵ１６のワーキングメモリ或いはバッファメモリとして使用される。
【００２３】
ＣＰＵ１６は、ユーザの指示の下、フラッシュメモリ２６に格納されたソースプログラムに従って処理を実行し、たとえば、通話、電子メール送受信等のデータ通信などを実行する。
【００２４】
たとえば、ユーザがキースイッチ１８を操作して、通話相手の電話番号を入力し、通話キーを操作すると、これに応じて、ＣＰＵ３６は、発呼処理を実行し、通話相手の携帯電話機（図示せず）或いは公衆電話機（図示せず）との間で接続状態を確立する。ＣＰＵ３６は、接続状態を確立すると、通話処理を実行する。
【００２５】
なお、周知のように、通話相手の電話番号をフラッシュメモリ２６に登録している場合には、たとえば、カーソルキーを操作するだけで、通話相手の電話番号を入力することもできる。
【００２６】
通話相手の音声に対応する音声データ（以下、「通話音声データ」という。）は、無線基地局を介して送信され、アンテナ１４で受信される。アンテナ１４で受信された通話音声データは、ＲＦ回路１２に与えられ、増幅およびフィルタリングなどの処理を施される。このような処理を施された通話音声データはＣＰＵ１６を介して音声コーデックＩＣ２２に与えられる。そして、音声コーデック２２でアナログの音声信号に変換された後、通話用スピーカ３０から出力される。
【００２７】
一方、通信端末１０のユーザが発する音声は、マイク３２から入力され、音声コーデック２２でディジタルの音声データに変換され、ＣＰＵ１６を介してＲＦ回路１２に入力される。そして、ＲＦ回路１２でフィルタリングおよび増幅などの処理が施され、アンテナ１４から無線基地局に送信される。このように、通話処理が実行される。
【００２８】
また、通話相手（他）の携帯電話機或いは公衆電話機からの着呼があると、これに応じて、ＣＰＵ１６は着呼処理を実行する。つまり、ＣＰＵ１６は、フラッシュメモリ２６に記憶されている着信メロディの音楽データを読み出し、ＲＡＭ２８を用いて展開した後、メロディＩＣ２４を駆動する。したがって、着信メロディが音楽再生用スピーカ３４から出力され、“着信あり”が報知される。
【００２９】
なお、着信音で“着信あり”を報知するようにしてもよい。また、ユーザがバイブレーション機能を設定している場合には、フラッシュメモリ２６にバイブレーション機能がオンである情報が記憶されており、したがって、ＣＰＵ１６は、図示しないモータ等を駆動し、電話機１０本体を振動させて、“着信あり”を報知することもできる。また、バイブレーションおよび着信メロディ（または着信音）の両方で“着信あり”を報知することもできる。
【００３０】
これに応じて、ユーザがキースイッチ１８（通話キー）を操作すると、ＣＰＵ１６は、通話相手の携帯電話機或いは公衆電話機との間で接続状態を確立し、上述したような通話処理を実行する。
【００３１】
このように、通信端末１０は、携帯電話網を介して他の電話機と通話処理を実行することができ、または、携帯電話網および公衆電話網の両方を介して他の電話機と通話処理を実行することができる。
【００３２】
また、通信端末１０では、電子メールの送受信やインターネット接続などが可能である。さらに、電卓、スケジュール、アドレス帳など、通信端末１０に備えられた機能を実行することも可能である。このような機能等を実行するための画面に対応する画面データおよびプログラムは、フラッシュメモリ２６に記憶されており、ユーザのキー操作に応じてＣＰＵ１６が対応する画面データを読み出し、ＲＡＭ２８を用いて展開した後、ＬＣＤ２０に表示する。したがって、ユーザは、表示画面（ＬＣＤ２０）を見ながら、キースイッチ１８を操作して各機能等を実行することができる。これらの動作については周知であるため、詳細な説明は省略することにする。
【００３３】
図２に示すように、ＲＦ回路１２はＣＤＭＡ／ＡＭＰＳモードで使用される送受分離器（ＤＸＰ）４０ａおよびＰＣＳモードで使用されるＤＸＰ４０ｂを含む。ＤＸＰ４０ａおよびＤＸＰ４０ｂには、それぞれ、アンテナ１４およびアンテナ１４′が接続される。
【００３４】
なお、説明の都合上、図２においては、アンテナ１４およびアンテナ１４′がＲＦ回路１２に含まれるように記載してある。
【００３５】
また、アンテナ１４′は、車内で通信端末１０を使用する場合に接続されるアンテナである。
【００３６】
アンテナ１４で受信された信号（受信信号）は、ＤＸＰ４０ａを介して低雑音増幅器（ＬＮＡ）４２ａに与えられ、ＬＮＡ４２ａで増幅された後、ＲＦ−ＢＰＦ４４ａで第１の所定帯域を通過される。ＲＦ−ＢＰＦ４４ａを介した受信信号は、ミキサ４６ａに与えられる。また、ミキサ４６ａには、増幅器５８を介して第１局部発振器（ＵＨＦ／ＶＣＯ）６０が接続され、ＵＨＦ／ＶＣＯ６０からの発信信号が増幅器を介して入力される。したがって、受信信号はミキサ４６ａでＵＨＦ／ＶＣＯ６０からの発振信号とミックスされ、ダウンコンバートされる。ダウンコンバートされた受信信号は、ＩＦ−ＢＰＦ４８ａで第２の所定帯域を通過された後、スイッチＳＷ１を介してＡＧＣ５０に与えられる。
【００３７】
なお、増幅器５８は、送信／受信のアイソレーションを確保するための増幅器である。後述する増幅器６４および増幅器８４も同様である。
【００３８】
また、スイッチＳＷ１およびスイッチＳＷ２がオンされている場合には、ダウンコンバートされた受信信号は、ＩＦ−ＢＰＦ４８ａ、スイッチＳＷ１、ＩＦ−ＢＰＦ４８ｂおよびスイッチＳＷ２を介してＡＧＣ５０に与えられる。
【００３９】
ＩＦ−ＢＰＦ４８ａは、受信信号から所定周波数を含む周波数帯域の信号成分を抽出する帯域フィルタであり、ＩＦ−ＢＰＦ４８ｂもＩＦ−ＢＰＦ４８ａと同じ或いはほぼ同じ周波数帯域を通過させる（抽出する）帯域フィルタである。
【００４０】
一方、アンテナ１４′で受信された受信信号は、ＬＮＡ４２ｂ、ＢＰＦ４４ｂ、ミキサ４６ｂ、ＩＦ−ＢＰＦ４８ｃおよびスイッチＳＷ３を介してＡＧＣ５０に与えられる。各コンポーネントにおける処理は、上述のアンテナ１４で受信された受信信号と同じであるため、重複した説明は省略する。
【００４１】
ただし、スイッチＳＷ３およびスイッチＳＷ４がオンされている場合には、ダウンコンバートされた受信信号は、ＩＦ−ＢＰＦ４８ｃ、スイッチＳＷ２、ＩＦ−ＢＰＦ４８ｄおよびスイッチＳＷ４を介してＡＧＣ５０に与えられる。
【００４２】
ＩＦ−ＢＰＦ４８ｃおよびＩＦ−ＢＰＦ４８ｄは、ＩＦ−ＢＰＦ４８ａおよびＩＦ−ＢＰＦ４８ｂと同様に、受信信号から所定周波数を含む周波数帯域の信号成分を抽出する帯域フィルタである。
【００４３】
ＡＧＣ５０は、ＩＦ−ＢＰＦ４８ａないしＩＦ−ＢＰＦ４８ｄのいずれかから出力された受信信号に対して、ゲイン調整を施し、ゲイン調整を施された受信信号は直交復調器５２に入力される。直交復調器５２にはまた、第２局部発振器（ＶＣＯ）６２からの発振信号が入力される。直交復調器５２は、ゲイン調整された受信信号を互いに直交した信号すなわちＩ信号およびＱ信号に変換し、ＬＰＦのようなフィルタ（Ｉ／Ｑフィルタ）５４ａ或いはＩ／Ｑフィルタ５４ｂに与える。
【００４４】
Ｉ／Ｑフィルタ５４ａ或いはＩ／Ｑフィルタ５４ｂは、Ｉ信号およびＱ信号のそれぞれに対してフィルタリング処理を施し、高域成分を除去する。このＩ／Ｑフィルタ５４ａ或いはＩ／Ｑフィルタ５４ｂを介したＩ信号およびＱ信号は、それぞれに対応して設けられたＡ／Ｄ変換器５６ａ或いはＡ／Ｄ変換器５６ｂでディジタル変換された後、図１で示したＣＰＵ１６に入力される。
【００４５】
なお、図示は省略するが、ＣＤＭＡ／ＰＣＳモードが設定されている場合には、ＣＰＵ１６によって、Ｉ／Ｑフィルタ５４ａおよびＡ／Ｄ変換器５６ａが能動化され、ＡＭＰＳモードが設定されている場合には、ＣＰＵ１６によって、Ｉ／Ｑフィルタ５４ｂおよびＡ／Ｄ変換器５６ｂが能動化される。つまり、いずれか一方の処理系が能動化（有効化）される。
【００４６】
ＶＣＯ６２の発振信号はまた、増幅器６４を介してＤＵＡＬ／ＰＬＬ  ＵＨＦ６６に与えられる。ＤＵＡＬ／ＰＬＬ  ＵＨＦ６６には、ＴＣＸＯ７４からの周波数信号も入力される。ＤＵＡＬ／ＰＬＬ  ＵＨＦ６６は、ＵＨＦ／ＶＣＯ６０から出力される発振周波数信号を設定（決定）するためのローカル信号を発生する。
【００４７】
ＴＣＸＯ７４からの周波数信号はまた、ＴＸ−ＰＬＬ７２に入力され、所定の周波数にロックされた後、第３局部発振器（ＴＸ−ＩＦ  ＶＣＯ）７０に入力される。ＴＸ−ＩＦ  ＶＣＯ７０から出力される周波数信号は直交変調器６８に入力される。また、ＣＰＵ１６から入力されるアナログの送信信号が、直交変調器６８に入力される。直交変調器６８は、ＴＸ−ＩＦ  ＶＣＯ７０からの周波数信号を用いて送信信号を直交変調し、直交変調された送信信号はＡＧＣ７８でゲイン調整を施される。
【００４８】
そして、送信信号は、ＤＩＳＣＲＥＴＥ−ＩＦフィルタ８０でフィルタリング処理を施されることにより、ＴＸ−ＩＦ帯を超える不要なスプリアスが除去された後、ミキサ８２に入力される。つまり、ＤＩＳＣＲＥＴＥ−ＩＦフィルタ８０は、ＢＰＦとして働く。ミキサ８２にはまた、上述したＵＨＦ／ＶＣＯ６０からの発振信号が増幅器８４を介して入力され、したがって、送信信号はアップコンバートされる。アップコンバートされた送信信号は、ドライバアンプ（ＡＭＰ）８６ａ或いは８６ｂに入力される。
【００４９】
送信信号がＡＭＰ８６ａに入力されると、ＡＭＰ８６ａによって送信信号は増幅され、ＴＸ−ＳＡＷフィルタ８８ａでフィルタリング処理を施された後、さらにＲＦ−ＡＭＰ９０ａで増幅される。ＲＦ−ＡＭＰ９０ａで増幅された送信信号は、アイソレータ９２ｂおよびＤＸＰ４０ｂを介してアンテナ１４′から無線基地局に送信される。アイソレータ９２ｂは、アンテナ１４′からの反射波を阻止し、ＲＦ−ＡＭＰ９０ａを保護するとともに、その動作を安定させる。また、アンテナ１４′を介して不要波がＲＦ−ＡＭＰ９０ａに侵入するのを阻止して、相互変調ひずみが発生するのを防止する。
【００５０】
一方、送信信号がＡＭＰ８６ｂに入力されると、送信信号は、ＡＭＰ８６ｂ、ＩＦ−ＳＡＷフィルタ８８ｂ、ＲＦ−ＡＭＰ９０ｂ、アイソレータ９２ａおよびＤＸＰ４０ａを介してアンテナ１４から無線基地局に送信される。各コンポーネントにおける処理は上述と同じであるため、重複した説明は省略する。
【００５１】
なお、図示は省略するが、ＰＣＳモードが設定されている場合には、ＣＰＵ１６によって、ＡＭＰ８６ａとＤＸＰ４０ｂとの間における処理系のコンポーネントが能動化され、ＣＤＭＡ／ＡＭＰＳモードが設定されている場合には、ＣＰＵ１６によって、ＡＭＰ８６ｂとＤＸＰ４０ａとの間の処理系のコンポーネントが能動化される。つまり、いずれか一方の処理系が能動化（有効化）される。
【００５２】
たとえば、通信端末１０は、待ち受け状態において、制御チャネルを用いて無線基地局との間で通信することにより、ＲＦ回路１２の送信信号の信号レベル（送信レベル）を調整している。具体的には、ＲＦ回路１２を介して受信される受信信号の信号レベル（受信レベル）を検出し、受信レベルが第１所定レベルよりも小さい場合には、ＡＧＣ７８およびＲＦ−ＡＭＰ９０ａ（またはＲＦ−ＡＭＰ９０ｂ）のゲインおよび増幅度を大きくして、送信レベルを大きくする。逆に、受信レベルが第２所定レベルよりも大きい場合には、ＡＧＣ７８およびＲＦ−ＡＭＰ９０ａ（またはＲＦ−ＡＭＰ９０ｂ）のゲインおよび増幅度を小さくして、送信レベルを小さくする。
【００５３】
なお、第１所定レベルおよび第２所定レベルは、ＣＤＭＡの規格上決定される値である。
【００５４】
しかし、受信信号の周波数帯域近傍に他の信号（妨害信号）が存在すると、その妨害信号が受信信号に混入してしまい、したがって、通信端末１０では、実際の受信レベルが小さい或いは適度なレベルであるにも拘わらず、受信レベルが大きいと判断してしまう場合がある。このような判断を誤った場合には、上述したように、ＡＧＣ７８およびＲＦ−ＡＭＰ９０ａ（またはＲＦ−ＡＭＰ９０ｂ）のゲインおよび増幅度を小さくして、送信レベルを小さくしてしまう。また、誤った受信制御のため、急激にＦｒａｍｅ  Ｅｒｒｏｒ  Ｒａｔｅ（以下、「ＦＥＲ」と表記する。）が増加してしまい、発着呼不能、通信不能或いは通信断等の不具合を発生してしまうという問題がある。
【００５５】
これを回避するため、この実施例では、待ち受け時において、ＣＤＭＡ／ＡＭＰＳモードでは、スイッチＳＷ１およびスイッチＳＷ２を切り換えることにより、フィルタ（ＩＦ−ＢＰＦ）の段数を切り換えて、１段および２段のそれぞれにおける受信レベルを検出し、受信レベルが一致するかどうかに応じて、使用するＩＦ−ＢＰＦの有効段数を決定するようにしてある。言い換えると、有効段数を１段にしたときのフィルタ（ＩＦ−ＢＰＦ４８ａ）の出力レベルと有効段数を２段にしたときのフィルタ（ＩＦ−ＢＰＦ４８ｂ）の出力レベルとを比較し、互いに一致するかどうかに基づいて、有効段数を決定している。
【００５６】
一方、ＰＣＳモードでは、スイッチＳＷ３およびスイッチＳＷ４を切り換えることにより、ＩＦ−ＢＰＦの段数を切り換えて、１段および２段のそれぞれにおける受信レベルを検出し、受信レベルが一致するかどうかに応じて、使用するＩＦ−ＢＰＦの有効段数を決定する。言い換えると、有効段数を１段にしたときのフィルタ（ＩＦ−ＢＰＦ４８ｃ）の出力レベルと有効段数を２段にしたときのフィルタ（ＩＦ−ＢＰＦ４８ｄ）の出力レベルとを比較し、互いに一致するかどうかに基づいて、有効段数を決定している。
【００５７】
有効段数が１に決定された場合には、ＩＦ−ＢＰＦ４６ａ（ＰＣＳモードでは、ＩＦ−ＢＰＦ４６ｃ）のみが用いられる。一方、有効段数が２に決定された場合には、ＩＦ−ＢＰＦ４６ａおよびＩＦ−ＢＰＦ４６ｂ（ＰＣＳモードでは、ＩＦ−ＢＰＦ４６ｃおよびＩＦ−ＢＰＦ４６ｄ）が用いられる。このように、直列に接続可能なフィルタを設けて、有効段数を可変することができる。つまり、有効段数を２に決定した場合には、有効段数が１の場合に比べてアッテネーションを高くすることができ、妨害信号を確実に除去することができる。言い換えると、受信信号を正確に抽出することができる。
【００５８】
たとえば、この実施例では、有効段数が２（すべての段数）に決定されると、通信（通話）が開始されてから終了するまでの間は、決定された有効段数が固定されたままで、ＲＦ回路１２は駆動される。
【００５９】
ただし、有効段数が１（すべての段数以外の段数）に決定され、通信（通話）が開始されると、送信していないときに、受信レベルを検出し、妨害信号が存在する場合には有効段数を増加して、すなわち有効段数を２に変更するようにして、受信性能を保つことができる。
【００６０】
具体的には、ＣＰＵ１６は図３に示すフロー図に従って処理し、フィルタの有効段数を決定する。たとえば、ＣＤＭＡモード／ＡＭＰＳモードでは、ＣＰＵ１６は、発着呼の待ち受け時において、所定のタイミングで割り込んで処理を開始し、ステップＳ１でスイッチＳＷ１を端子Ｓ１側に切り換える。つまり、ミキサ４６ａでダウンコンバートされた受信信号が、ＩＦ−ＢＰＦ４８ａを用いてフィルタリングされる。
【００６１】
ただし、ＣＤＭＡモードでは、１段のフィルタでフィルタリングされた受信信号は、ＡＧＣ５０、直交復調器５２、Ｉ／Ｑフィルタ５４ａおよびＡ／Ｄ変換器５６ａを介してＣＰＵ１６に与えられる。一方、ＡＭＰＳモードでは、１段のフィルタでフィルタリングされた受信信号は、ＡＧＣ５０、直交復調器５２、Ｉ／Ｑフィルタ５４ｂおよびＡ／Ｄ変換器５６ｂを介してＣＰＵ１６に与えられる。
【００６２】
続く、ステップＳ３では、与えられた受信信号の受信レベルＬ１を検出する。具体的には、ＣＰＵ１６は、受信信号のレベルを検出し、受信レベルＬ１を得る。そして、ステップＳ５で、検出した受信レベルＬ１をＲＡＭ２８のメモリエリア（図示せず）に書き込む。
【００６３】
次に、ステップＳ７でスイッチＳＷ１を端子Ｓ２側に切り換えるとともにスイッチＳＷ２をオンし、ステップＳ９で受信信号の受信レベルＬ２を検出する。つまり、ＣＤＭＡモードでは、ミキサ４６ａでダウンコンバートされた受信信号が、ＩＦ−ＢＰＦ４８ａ、ＩＦ−ＢＰＦ４６ｂ、ＡＧＣＰＵ５０、直交復調器５２、Ｉ／Ｑフィルタ５４ａおよびＡ／Ｄ変換器５６ａを介してＣＰＵ１６に与えられ、上述した受信レベルＬ１と同様に、受信レベルＬ２を検出される。一方、ＡＭＰＳモードでは、ミキサ４６ａでダウンコンバートされた受信信号が、ＩＦ−ＢＰＦ４８ａ、ＩＦ−ＢＰＦ４６ｂ、ＡＧＣＰＵ５０、直交復調器５２、Ｉ／Ｑフィルタ５４ｂおよびＡ／Ｄ変換器５６ｂを介してＣＰＵ１６に与えられ、受信レベルＬ２を検出される。そして、ステップＳ１１で、受信レベルＬ２をＲＡＭ２８に書き込む。
【００６４】
続いて、ステップＳ１３では、受信レベルＬ１と受信レベルＬ２とが等しいかどうかを判断する。ステップＳ１３で“ＹＥＳ”であれば、つまり受信レベルＬ１と受信レベルＬ２とが等しければ、妨害信号が存在しないと判断し、有効段数を１に決定し、ステップＳ１５でスイッチＳＷ１を端子Ｓ１側に切り換えて、処理を終了する。一方、ステップＳ１３で“ＮＯ”であれば、つまり受信レベルＬ１と受信レベルＬ２とが等しくなければ、妨害信号が存在すると判断し、有効段数を２に決定し、ステップＳ１７でスイッチＳＷ１を端子Ｓ２側に切り換えるとともにスイッチＳＷ２をオンして、処理を終了する。
【００６５】
なお、上述の処理においては、ＣＤＭＡモードおよびＡＭＰＳモードについてのみ示したが、ＰＣＳモードが設定されている場合には、スイッチＳＷ３およびスイッチＳＷ４を切り換えることにより、ＩＦ−ＢＰＦ４６ｃを用いた場合における受信レベルＬ１およびＩＦ−ＢＰＦ４６ｃおよびＩＦ−ＢＰＦ４６ｄを用いた場合における受信レベルＬ２が検出され、使用するフィルタの有効段数が決定される。つまり、図３で示したフロー図において、スイッチＳＷ１をスイッチＳＷ３に変更し、スイッチＳＷ２をスイッチＳＷ４に変更するとともに、ステップＳ１およびＳ１５においてはスイッチＳＷ３を端子Ｓ３側に切り換えるようにし、ステップＳ７およびＳ１７においてはスイッチＳＷ３を端子Ｓ４側に切り換えるようにすればよい。
【００６６】
ただし、ＰＣＳモードにおいては、ＩＦ−ＢＰＦ４６ｃ或いはＩＦ−ＢＰＦ４６ｄから出力される受信信号は、ＣＤＭＡモードと同様に、ＡＧＣ５０、直交復調器５２、Ｉ／Ｑフィルタ５４ａおよびＡ／Ｄ変換器５６ａを介してＣＰＵ１６に与えられる。
【００６７】
この実施例によれば、ＩＦ−ＢＰＦを複数段設け、有効段数を変えることにより、受信信号を正確に抽出することができるので、受信／送信レベルの調整を正常に実行することができる。したがって、発着呼不能、通信不能或いは通信劣化等の不具合が発生することはない。
【００６８】
他の実施例の通信端末１０は、ＲＦ回路１２にデジタルフィルタ（ＤＦ）を設けて、フィルタを複数段にするようにした以外は図１実施例と同じであるため、重複した説明は省略する。
【００６９】
この通信端末１０では、ＲＦ回路１２は図４のように示される。具体的に言うと、図２で示したＩＦ−ＢＰＦ４６ｂ、ＩＦ−ＢＰＦ４６ｃ、スイッチＳＷ１〜ＳＷ４が削除され、Ａ／Ｄ変換器５６ａとＣＰＵ１６との間にＤＦ９４ａが設けられ、Ａ／Ｄ変換器５６ｂとＣＰＵ１６との間にＤＦ９４ｂが設けられる。
【００７０】
つまり、アナログフィルタ（ＩＦ−ＢＰＦ４６ａ，ＩＦ−ＢＰＦ４６ｂ）とディジタルフィルタ（ＤＦ９４ａ，ＤＦ９４ｂ）とによって、複数段のフィルタが構成される。したがって、ＣＰＵ１６の指示に従ってＤＦ９４ａ或いはＤＦ９４ｂを能動化／不能化（オン／オフ）することにより、フィルタの有効段数が変更される。
【００７１】
ただし、他の実施例においては、ＣＤＭＡモード／ＰＣＳモードのとき、ＤＦ９４ａがオン／オフされ、ＡＭＰＳモードのとき、ＤＦ９４ｂがオン／オフされる。
【００７２】
たとえば、ＣＤＭＡモードでは、ミキサ４６ａでダウンコンバートされた受信信号は、ＩＦ−ＢＰＦ４８ａで第２の所定帯域を通過された後、ＡＧＣ５０でゲイン調整を施される。ゲイン調整を施された受信信号は、直交復調器５２、Ｉ／Ｑフィルタ５４ａおよびＡ／Ｄ変換器５６ａを介してＤＦ９４ａに与えられる。
【００７３】
ＤＦ９４ａは、上述したように、ＣＰＵ１６によって、オン／オフされる。具体的には、ＤＦ９４ａは、フィルタの有効段数が１に決定された場合にはオフされ、フィルタの有効段数が２に決定された場合にはオンされる。
【００７４】
ＤＦ９４ａがオンされると、ＩＦ−ＢＰＦ４８ａと同じ或いはほぼ同じ周波数帯域を通過され、ＤＦ９４ａを介した受信信号はＣＰＵ１６に与えられる。一方、ＤＦ９４ａがオフされると、Ａ／Ｄ変換器５６ａを介した受信信号は、ＤＦ９４ａをそのまま通過して、ＣＰＵ１６に与えられる。
【００７５】
また、ＰＣＳモードが設定されている場合には、ミキサ４６ｂでダウンコンバートされた受信信号は、ＩＦ−ＢＰＦ４８ｃで第２の所定帯域を通過された後、ＡＧＣ５０でゲイン調整を施される。それ以降では、ＣＤＭＡモードと同様であるため、重複した説明は省略する。
【００７６】
さらに、ＡＭＰＳモードが設定されている場合には、ミキサ４６ａでダウンコンバートされた受信信号は、ＩＦ−ＢＰＦ４８ａで第１の周波数帯域を通過された後、ＡＧＣ５０でゲイン調整を施される。ゲイン調整された受信信号は、直交復調器５２、Ｉ／Ｑフィルタ５４ｂおよびＡ／Ｄ変換器５６ｂを介してＤＦ９４ｂに与えられる。
【００７７】
ＤＦ９４ｂは、上述したように、ＣＰＵ１６によって、オン／オフされる。具体的には、ＤＦ９４ｂは、フィルタの有効段数が１に決定された場合にはオフされ、フィルタの有効段数が２に決定された場合にはオンされる。
【００７８】
ＤＦ９４ｂがオンされると、ＩＦ−ＢＰＦ４８ａと同じ或いはほぼ同じ周波数帯域を通過され、ＤＦ９４ｂを介した受信信号はＣＰＵ１６に与えられる。一方、ＤＦ９４ｂがオフされると、Ａ／Ｄ変換器５６ｂを介した受信信号は、ＤＦ９４ｂをそのまま通過して、ＣＰＵ１６に与えられる。
【００７９】
このように、ＣＤＭＡモード／ＰＣＳモード或いはＡＭＰＳモードにおいて、ＤＦ９４ａ或いはＤＦ９４ｂをオン／オフすることにより、フィルタの有効段数が決定される。具体的には、ＣＰＵ１６は図５に示すフロー図を処理する。
【００８０】
なお、図５に示すＣＰＵ１６の処理は、図３で示したＣＰＵ１６の処理とほぼ同じであるため、重複した説明は省略する。
【００８１】
たとえば、ＣＤＭＡ／ＰＣＳモードでは、ＣＰＵ１６は、発着呼の待ち受け時において、所定のタイミングで割り込んで処理を開始し、ステップＳ１′でＤＦ９４ａをオフする。つまり、ミキサ４６ａでダウンコンバートされた受信信号は、ＩＦ−ＢＰＦ４８ａのみによってフィルタリングされる。このときの受信レベルＬ１が検出される。
【００８２】
また、ＣＰＵ１６は、ステップＳ７′で、ＤＦ９４ａをオンする。つまり、ミキサ４６ａでダウンコンバートされた受信信号は、ＩＦ−ＢＰＦ４８ａでフィルタリングされた後、ＡＧＣ５０、Ｉ／Ｑフィルタ５４ａ、Ａ／Ｄ変換器５６ａを介して、ＤＦ９４ａでフィルタリングされ、ＣＰＵ１６に与えられる。このときの受信レベルＬ２が検出される。
【００８３】
それ以降では、上述の実施例と同様に、受信レベルＬ１と受信レベルＬ２とが一致するかどうかに応じて、フィルタの有効段数が決定される。つまり、ＣＰＵ１６は、受信レベルＬ１と受信レベルＬ２とが一致する場合には、有効段数を１に決定し、ステップＳ１５′でＤＦ９４ａをオフする。一方、受信レベルＬ１と受信レベルＬ２とが一致しない場合には、有効段数を２に決定し、ステップＳ１７′でＤＦ９４ａをオンする。
【００８４】
なお、詳細な説明は省略するが、ＡＭＰＳモードでは、ＤＦ９４ｂをオン／オフすることにより、フィルタの有効段数が決定される。つまり、図５のフロー図において、ＤＦ９４ａをＤＦ９４ｂに置き換えればよい。
【００８５】
このように、ＩＦ−ＢＰＦとＤＦとによって複数段のフィルタを構成し、ＤＦをオン／オフすることにより、フィルタの有効段数を決定するようにしても、上述の実施例と同様の効果が得られる。
【００８６】
なお、これらの実施例では、２段のフィルタを設けるようにしたが、３段以上設けて、有効段数を細かく設定できるようにしてもよい。
【００８７】
たとえば、３段のフィルタを設けた場合には、１段、２段および３段のそれぞれの場合についての受信レベル（Ｌ１、Ｌ２、Ｌ３）を検出し、受信レベル（検出結果）がすべて一致（Ｌ１＝Ｌ２＝Ｌ３）を示す場合には、有効段数が１に決定される。また、検出結果がすべて不一致（Ｌ１≠Ｌ２≠Ｌ３≠Ｌ１）を示す場合には、有効段数がフィルタの段数のすべての段数（３）に決定される。さらに、検出結果が一部一致（Ｌ１≠Ｌ２＝Ｌ３）を示す場合には、有効段数が一部一致を示すフィルタの段数のうち最小の段数（２）に決定される。
【００８８】
ただし、フィルタの段数を増やすにつれて、フィルタの特性による時間遅れや受信レベルの低下が発生したり、装置自体が高価になったりするため、数段（２段ないし３段）設けるのが適切であると考えられる。
【００８９】
なお、上述の実施例では、ＣＤＭＡ／ＡＭＰＳ方式を採用する携帯電話機についてのみ示したが、他の携帯電話機、ＰＨＳのようなＲＦ回路を有する通信端末にこの発明を適用できることは言うまでもない。
【図面の簡単な説明】
【図１】この発明の一実施例を示す図解図である。
【図２】図１実施例にＲＦ回路を示すブロック図である。
【図３】図１実施例に示すＣＰＵの処理の一部を示すフロー図である。
【図４】この発明の他の実施例に用いられるＲＦ回路を示すブロック図である。
【図５】他の実施例におけるＣＰＵの処理の一部を示すフロー図である。
【符号の説明】
１０  …携帯電話機
１２  …ＲＦ回路
１６  …ＣＰＵ
１８  …キースイッチ
２０  …ＬＣＤ
２２  …音声コーデック
２４  …メロディＩＣ
２６  …フラッシュメモリ
２８  …ＲＡＭ
３０，３４  …スピーカ
３２  …マイク
４０ａ，４０ｂ  …ＤＸＰ
４２ａ，４２ｂ  …ＬＮＡ
４８ａ，４８ｂ，４８ｃ，４８ｄ  …ＩＦ−ＢＰＦ
５０，７８  …ＡＧＣ
５２  …直交復調器
５４ａ，５４ｂ  …Ｉ／Ｑフィルタ
６６  …ＤＵＡＬ／ＰＬＬ  ＵＨＦ
６８  …直交変調器
８０  …ＤＩＳＣＲＥＴＥ−ＩＦフィルタ
８８ａ，８８ｂ  …ＴＸ−ＳＡＷフィルタ
９２ａ，９２ｂ  …アイソレータ
９４ａ，９４ｂ  …ＤＦ
【図１】
0003631178.tif 000002
【図２】
0003631178.tif 000003
【図３】
0003631178.tif 000004
【図４】
0003631178.tif 000005
【図５】
0003631178.tif 000006